(57)【要約】【課題】  定着装置の定着ベルトを劣化させることなく温度復帰時間を短縮すること【解決手段】  定着ローラ３１２、加圧ローラ３１３、対向ローラ３１４、無端状の定着ベルト３１１、及び定着ベルト３１１を加熱する加熱手段と備え、記録媒体Ｐがニップ部を通過するとき加熱及び加圧して記録媒体にトナーＴを定着する定着装置に関し、加熱手段を定着ベルト３１１内の発熱層３１１ｂに給電して定着ベルト３１１全体を加熱すると共に、定着ベルト３１１の一部を誘電加熱で加熱するものとした。【選択図】  図２
2006017935.tif 000002
【特許請求の範囲】
【請求項１】
定着ローラと該定着ローラに対向する対向ローラに巻き掛けられた無端状の定着ベルトと、該定着ベルトを加熱する加熱手段と、前記定着ベルトに接してニップ部を形成する加圧部材とを備え、記録媒体が前記ニップ部を通過するとき、加熱及び加圧して記録媒体に未定着画像を定着する定着装置において、
該加熱手段は、定着ベルトを全体的に加熱する全体加熱手段と、定着ベルトの一部を加熱する局部加熱手段とを備えたことを特徴とする定着装置。
【請求項２】
前記局部加熱手段は誘導加熱によるものであり、前記全体加熱手段は抵抗加熱によるものであることを特徴とする請求項１記載の定着装置。
【請求項３】
定着ベルトは内側より少なくとも基材、発熱層、弾性層、離型層を含み、前記発熱層は所定の配置パターンを有する金属素材を含むことを特徴とする請求項１ないし３のいずれかの定着装置。
【請求項４】
前記発熱層は、２層に構成されており、発熱層のうちの1層は抵抗発熱体であって所定パターンを有する金属素材であることを特徴とする請求項３の定着装置。
【請求項５】
定着ベルトの発熱層は抵抗加熱及び誘導加熱で加熱されることを特徴とする請求項３または４の定着装置。
【請求項６】
加熱手段を制御する加熱制御手段を備え、該加熱制御手段は、定着ベルトの回転時には局部加熱手段を駆動して定着ベルトの局部を加熱し、定着ベルトの停止時は全体加熱手段に通電して定着ベルト全体を加熱することを特徴とする請求項1ないし５のいずれかの定着装置
【請求項７】
加熱手段を制御する加熱制御手段を備え、該加熱制御手段は、全体加熱装置を装置停止時において局部加熱装置で加熱した定着ベルトが所定の設定温度よりも低くなったときに通電することを特徴とする請求項定着１ないし８のいずれかの定着装置。
【請求項８】
第１及び第２の温度センサを備え、第１の温度センサは前記定着ベルトを介して対向ロ−ラに接して配置し、第２の温度センサは定着ベルトのうち対向ローラの支えが無い個所に配置し、前記加熱制御手段は、第２の温度センサ検出値を装置の停止時にのみ使用して制御をおこなうことを特徴とする請求項６または７の定着装置。
【請求項９】
形成未定着画像を形成する画像形成手段と、前記未定着画像を定着させる定着手段とを備えた画像形成装置において、前記定着手段として、前記請求項１ないし８のいずれかの定着装置とを備えたことを特徴とする画像形成装置。
【発明の詳細な説明】
【技術分野】
【０００１】
本発明は定着装置及びこれを用いた画像形成装置に係り、特に定着ローラと該定着ローラに対向する対向ローラに巻き掛けられた無端状の定着ベルトと、該定着ベルトを加熱する加熱手段と、前記定着ベルト接してニップ部を形成する加圧部材とを備え、記録媒体が前記ニップ部を通過するとき、加熱及び加圧して記録媒体に未定着画像を定着する定着装置に関する。
【背景技術】
【０００２】
画像形成装置として、記録媒体にトナーよりなる画像を定着する定着装置及び該定着装置を有する電子写真方式の複写機、レーザービームプリンタ、ファクシミリ、あるいはそれらの少なくも２つの機能を有する複合機等がある。
【０００３】
従来、上記した画像形成装置に用いられる定着装置としてベルト定着方式の装置が提案されており、その一例を図１０に示す。この定着装置５００は、特許文献１に開示されているもので、定着ローラ５１２と加熱ローラ５１４に巻き掛けられた無端状の定着ベルト５１１を、加圧ローラ５１３とのニップ部上流において加熱ローラ５１４で十分に加熱し、所定の温度になった定着ベルト５１１によりニップ部で定着を行う装置である。なお、本例では、加熱ローラ５１４はヒータ５１５により加熱される。また、特許文献２には、面状発熱体の表面にポリイミドを被覆し、ニップ部を形成する給電ローラとの接触部で発熱しているものが記載されている。
【０００４】
特許文献３には、抵抗発熱体を円筒状に丸めて外側にフッ素含有のチューブを配している。給電ブラシにより部分的に通電しているものが記載されている。
【０００５】
特許文献４には、金属基体の内側に抵抗層を有した定着ベルトであり、ニップ部を形成する接点ローラとの接触部で発熱するものが記載されている。
【０００６】
特許文献５には、通電発熱体を回転方向に配列させており、ニップ部を形成する電極ローラにより発熱するものが記載されている。
【０００７】
特許文献６には、パターン形状に打ち抜かれた抵抗発熱層を中空円筒に形成し、定着ローラの芯金に密着させて発熱させているものが記載されている。
【０００８】
特許文献７には抵抗発熱体を使用した定着装置。抵抗発熱体はパターンを有するものが記載されている。
【０００９】
特許文献８に、電磁誘導性発熱ベルトを用いた定着装置であって、加熱処理終了後は、定着温度より低い温度でベルトを加熱するものが記載されている。
【特許文献１】特許２８９２３８１号公報
【特許文献２】特開２０００−０６６５３９号公報
【特許文献３】特開平８−１２９３０９号公報
【特許文献４】特開２０００−１２２４５１号公報
【特許文献５】特開平７−０６４４１４
【特許文献６】特開２０００−０７５７１１号公報
【特許文献７】特開平０６−０８３２２４号公報
【特許文献８】特開２００２−１６９４０５号公報
【発明の開示】
【発明が解決しようとする課題】
【００１０】
前述した定着装置４００は、熱容量の小さな定着ベルト４１１を加熱ローラ４１４で予め加熱してから加圧ローラ４１３と定着ローラ４１２のニップ部で通紙される記録材にトナーを定着することにより、立ち上り時間が短く、広いニップ部幅により低温による定着が可能となる。しかし、このような定着装置では、立ち上り時間だけでなく、復帰時間も問題となる。立ち上り時間とはコピーの電源を入れてからコピーできるまでの時間であるのに対して、復帰時間とはコピーの電源が入った状態でコピーができるまでの時間をいう。
【００１１】
コピーの電源が入った状態で放置した場合、定着ユニット（定着ベルト）は冷えてしまい、この状態から定着ベルトが加熱されてコピーできる状態になる時間、ユーザーを待たせないために復帰時間の短縮が望まれる。また、復帰時間短縮のためにユーザーがコピーを使用しない場合でも定着ベルトを一定温度まで温めておく方法があるが、このような方法では定着ベルト全体を温めるために、定着ベルトを回転させておく必要があり、定着ベルトの回転稼働時間が長くなってしまう。すなわち、定着ベルトの表面には離型層が被覆しているが、回転摺動による離型層の磨耗、劣化が定着ベルトの耐久性を決める場合が多く、復帰時間を短縮させるために定着ベルトを頻繁に回転させていると、コピー時以外にも離型層を磨耗、劣化させることとなる。
【００１２】
本発明は、定着ベルトを劣化させることなく復帰時間を短縮することができる定着装置及び該定着装置を有する画像形成装置を提供することを目的としている。
【課題を解決するための手段】
【００１３】
請求項１の発明は、定着ローラと該定着ローラに対向する対向ローラに巻き掛けられた無端状の定着ベルトと、該定着ベルトを加熱する加熱手段と、前記定着ベルトに接してニップ部を形成する加圧部材とを備え、記録媒体が前記ニップ部を通過するとき、加熱及び加圧して記録媒体に未定着画像を定着する定着装置において、該加熱手段は、定着ベルトを全体的に加熱する全体加熱手段と、定着ベルトの一部を加熱する局部加熱手段とを備えたことを特徴とする。
【００１４】
請求項２の発明は、請求項１記載の定着装置において、前記局部加熱手段は誘導加熱によるものであり、前記全体加熱手段は抵抗加熱によるものであることを特徴とする。
【００１５】
請求項３の発明は、請求項１ないし３のいずれかの定着装置において、定着ベルトは内側より少なくとも基材、発熱層、弾性層、離型層を含み、前記発熱層は所定の配置パターンを有する金属素材を含むことを特徴とする。
【００１６】
請求項４の発明は、請求項３の定着装置において、前記発熱層は、２層に構成されており、発熱層のうちの1層は抵抗発熱体であってパターンを有する金属素材であることを特徴とする。
【００１７】
請求項５の発明は、請求項３または４の定着装置において、定着ベルトの発熱層は抵抗加熱及び誘導加熱で加熱されることを特徴とする。
【００１８】
請求項６の発明は、請求項1ないし５のいずれかの定着装置において、加熱手段を制御する加熱制御手段を備え、該加熱制御手段は、定着ベルトの回転時には局部加熱手段に通電して定着ベルトの局部を加熱し、定着ベルトの停止時は全体加熱手段を駆動して定着ベルト全体を加熱することを特徴とする。
【００１９】
請求項７の発明は、請求項定着１ないし８のいずれかの定着装置において、加熱手段を制御する加熱制御手段を備え、該加熱制御手段は、全体加熱装置を装置停止時において局部加熱装置で加熱した定着ベルトが所定の設定温度よりも低くなったときに通電することを特徴とする。
【００２０】
請求項８の発明は、請求項６または７の定着装置において、第１及び第２の温度センサを備え、第１の温度センサは前記定着ベルトを介して対向ロ−ラに接して配置し、第２の温度センサは定着ベルトのうち対向ローラの支えが無い個所に配置し、前記加熱制御手段は、第２の温度センサ検出値を装置の停止時にのみ使用して制御をおこなうことを特徴とする。
【００２１】
請求項９の発明は、形成未定着画像を形成する画像形成手段と、前記未定着画像を定着させる定着手段とを備えた画像形成装置において、前記定着手段として、前記請求項１ないし８のいずれかの定着装置とを備えたことを特徴とする。
【発明の効果】
【００２２】
本発明によれば、定着ベルトを劣化させることなく復帰時間を短縮することができる。
【発明を実施するための最良の形態】
【００２３】
以下本発明を実施するための最良の形態としての実施例を図面に基づいて説明する。
【実施例１】
【００２４】
図９は、本発明の実施対象となるタンデム型間接転写方式の複写装置の概略断面図である。図中複写装置本体１００は複写装置本体、１１０は給紙テーブル、１２０はスキャナ、１３０は原稿自動搬送装置（ＡＤＦ）である。複写装置本体１００を給紙テーブル１１０上に載せ、複写装置本体１００上にスキャナ１２０を取り付け、さらにその上にＡＤＦ１３０を取り付けてある。
【００２５】
複写装置本体１００には、中央に無端ベルト状の中間転写体１０を設けて３つの支持ローラ１４、１５、１６に掛け回し、図中時計回りに回転搬送可能としてある。なおこの例では、３つの支持ローラのうちの第２の支持ローラ１５の左に、画像転写後に中間転写体１０上に残留する残留トナーを除去する中間転写体クリーニング装置１７が設けてある。
【００２６】
また、３つの支持ローラのうちの第１の支持ローラ１４と第２の支持ローラ１５の間に、中間転写体１０上に位置するように、中間転写体１０の搬送方向に沿ってイエロー、シアン、マゼンタ、ブラックの４つの画像形成手段１８を横に並べて配置してタンデム作像装置２０を構成してある。このタンデム作像装置２０の上方には、図示のように露光装置２１が設けてある。
【００２７】
一方、中間転写体１０を挟んでタンデム作像装置２０の反対側には、２次転写装置２２を備えている。２次転写装置２２は、図示の例では、２つのローラ２３間に無端ベルトである２次転写ベルト２４を掛け渡して構成してあり、中間転写体１０を介して第３の支持ローラ１６に２次転写ベルト２４を押し当てるように配置し、中間転写体１０上の画像を転写材であるシートに転写するようになっている。
【００２８】
２次転写装置２２の横には、シート上の転写画像を定着する定着装置２５が設けてある。定着装置２５は、無端ベルトである定着ベルト２６に加圧ローラ２７を押し当てて構成してある。上述した２次転写装置２２は、画像転写後のシートをこの定着装置２５へと搬送するシート搬送機能を備えている。もちろん、２次転写装置２２として、転写ローラや非接触のチャージャを配置してもよいが、そのような場合は、このシート搬送機能を併せて備えることは難しくなる。
【００２９】
なお図示の例では、このような２次転写装置２２及び定着装置２５の下側に、上述したタンデム作像装置２０と平行にして、シートの両面に画像を記録するためにシートを反転させるシート反転装置２８を備えている。
【００３０】
このカラー電子写真装置を用いてコピーをとる際の動作を説明する。原稿自動搬送装置１３０の原稿台３０上に原稿をセットするか、または原稿自動搬送装置１３０を開いてスキャナ１２０のコンタクトガラス３２上に原稿をセットし、原稿自動搬送装置１３０を閉じてそれで押さえる。
【００３１】
そして、図示していないスタートスイッチを押すと、原稿自動搬送装置１３０に原稿をセットしたときは、原稿を搬送してコンタクトガラス３２上へと移動させた後、他方コンタクトガラス３２上に原稿をセットしたときは、直ちにスキャナ１２０を駆動し、第１走行体３３及び第２走行体３４を走行させる。そして、第１走行体３３で光源から光を発射するとともに原稿面からの反射光をさらに反射して第２走行体３４に向け、第２走行体３４のミラーで反射して結像レンズ３５を通して読み取りセンサ３６に入れ、原稿内容を読み取る。
【００３２】
また、図示していないスタートスイッチを押すと、これも図示していない駆動モータで支持ローラ１４、１５、１６の１つを回転駆動して他の２つの支持ローラを従動回転させ、中間転写体１０を回転搬送する。同時に、個々の画像形成手段１８で感光体４０を回転させ、各感光体４０（４０Ｙ，４０Ｃ，４０Ｍ，４０Ｋ）上にそれぞれブラック、イエロー、マゼンタ、シアンの単色画像を形成する。そして、中間転写体１０の搬送とともに、それらの単色画像を順次転写して中間転写体１０上に合成カラー画像を形成する。
【００３３】
図１は、図９に示したカラーコピー装置の画像形成装置及び定着装置を示す概略図である。ここに示した作像装置２００は、トナー像を形成する作像手段２１０と、そのトナー像を記録媒体上に定着する定着装置３００とを有している。先ず作像手段２１０について説明する。
【００３４】
作像手段２１０は、ドラム状の感光体として構成された第１ないし第４の像担持体２０３Ｙ，２０３Ｍ，２０３Ｃ，２０３ＢＫを有し、その各像担持体上にイエロートナー像、マゼンタトナー像、シアントナー像及びブラックトナー像がそれぞれ形成される。第１ないし第４の像担持体２０３Ｙ〜２０３ＢＫに対向して転写ベルト２０４が配置され、この転写ベルト２０４は、駆動ローラ２０５と従動ローラ２０６に巻き掛けられて矢印Ａ方向に走行駆動される。
【００３５】
第１ないし第４の各像担持体上にトナー像を形成する構成と、その作用は実質的に全て同一であるため、第１の像担持体２０３Ｙにトナー像を形成する構成だけを説明する。この像担持体２０３Ｙは図１における時計方向に回転駆動され、このとき帯電ローラ２０７によって像担持体表面が所定の極性に均一に帯電される。次いでその帯電面に、レーザ書き込みユニット２０８から出射する光変調されたレーザビームＬが照射される。これによって像担持体２０３Ｙ上に静電潜像が形成され、その静電潜像が現像装置９によってイエロートナー像として可視像化される。
【００３６】
一方、図示していない給紙部から、例えば転写紙より成る記録媒体Ｐが給送され、その記録媒体Ｐが、像担持体２０３Ｙと転写ベルト２０４の間に送り込まれ、転写ベルト２０４に担持されて搬送される。転写ベルト２０４を挟んで、像担持体２０３Ｙにほぼ対向する位置には転写ローラ２１１が配置され、転写ローラ２１１に対し、像担持体２０３Ｙ上のトナーと逆極性の電圧が印加され、これによって像担持体２０３Ｙ上のイエロートナー像が記録媒体Ｐ上に転写される。記録媒体Ｐに転写されず、像担持体２０３Ｙ上に残された転写残トナーは、クリーニング装置２３０によって除去される。
【００３７】
全く同様にして、第２乃至第４の像担持体２０３Ｍ，２０３Ｃ，２０３ＢＫ上にマゼンタトナー像、シアントナー像及びブラックトナー像がそれぞれ形成され、これらのトナー像が、イエロートナー像の転写された記録媒体Ｐ上に順次重ね合されて転写される。
【００３８】
上述のようにして４色のトナー像が形成された記録媒体Ｐは、定着装置３００を通過し、このときそのトナー像が記録媒体Ｐ上に定着される。定着装置３００を通過した記録媒体Ｐは、図示していない排紙トレイ上に排出される。
【００３９】
図２は実施例に係る定着装置３００を示す説明図である。該定着装置は定着ローラ３１２と該定着ローラ３１２に対向する対向ローラ（加熱ローラ）３１４に巻き掛けられた無端状の定着ベルト３１１と、該定着ベルト３１１を加熱する手段と、前記定着ベルトを介して該定着ローラに圧接しニップ部を形成する加圧ローラ３１３と有している。本例では、加熱手段は、定着ベルト３１１全体を加熱する全体加熱手段３２０と、定着ベルト３１１の一部を誘導加熱する局部加熱手段３２１とを備える。本例では、温度センサ３１８で定着ベルト３１１の温度を検知しつつ、全体加熱手段３２０と局部加熱手段３２１の加熱制御を行う。
【００４０】
次に全体加熱手段３２０について説明する。本例では、全体加熱手段３２０は、定着ベルト３１１に設けられた発熱層３１１ｂに電極３１７から給電して定着ベルト３１１全体を加熱する。該定着ベルト３１１は、図３に示すように、内側から基材３１１ａ、発熱層３１１ｂ、弾性層３１１ｃ、離型層３１１ｄから構成されている。
【００４１】
基材３１１ａは、耐熱性樹脂から形成した無端状のベルト状基体であり、耐熱性樹脂の材質としては、ポリイミド、ポリアミドイミド、ポリエーテルケトン（ＰＥＥＫ）等を使用できる。ベルトの剛性および熱容量から、基材の厚さは２０μｍ〜１００μｍが望ましい。
【００４２】
発熱層３１１ｂは、ＳＵＳ、鉄、ニッケル、マンガン、チタン、クロム、銅等の金属が使用できる。発熱層３１１ｂは、ベルトの可撓性から厚さ５０μｍ以下が望ましく、誘導加熱の効率からは５μｍ以上が望ましい。
【００４３】
また、発熱層３１１ｂは抵抗加熱を行う際の電力を抵抗値で調整する。通常、電圧一定で電気が供給される。例えば入力電圧が１００Ｖで８００Ｗの電力が欲しい場合、抵抗は１２．５Ωにする必要がある。発熱層が単純な円筒の場合、抵抗を上げるために薄くしなければならず、後述する誘導加熱の効率を損なってしまう。
【００４４】
本例では、発熱体の電気的な経路を確保するパターンを有することで発熱体の厚さを保ちつつ電気抵抗を変更する。もちろん発熱体の厚さが定着ベルトの可撓性を満足し、かつ誘導加熱の発熱特性を満足し、さらに抵抗値が所望の値であるのであればパターンがない円筒形状でも構わない。抵抗がパターンは図４（ａ）に示す網目状や、図４（ｂ）に示す螺旋状を採用できる他、任意のパターンを採用することができる。
【００４５】
弾性層３１１ｃは画像の均一性を得るために設けられ、１００〜３００μｍ程度のシリコーンゴムやフッ素ゴム等の耐熱ゴムが用いられる。定着ベルト３１１の表面は、転写紙Ｐ及びトナーＴと加圧接触するため、耐熱性、耐久性に優れたフッ素系樹脂等の離型層３１１ｄを被覆した構成としてある。
【００４６】
また、発熱層３１１ｂと弾性層３１１ｃの間にポリイミド等の耐熱性を有する電気絶縁層を設けてもよい。
【００４７】
次に局部加熱手段３２１について説明する。本例では局部加熱手段３２１は断面略凹状の励磁コア３１６に誘導コイル３１５を巻回して構成されており、この誘導コイル３１５に数ｋＨｚ〜数百ｋＨｚの高周波電流を流すことで発生する誘導電流により定着ベルト３１１の発熱層３１１ｂが発熱する。励磁コア３１６はフェライトやパーマロイをしようすることができる。本例に係る局部加熱手段３２１では定着ベルト３１１は誘導コイル３１５に近接した個所のみが局部的、且つ急速に昇温させることができる。
【００４８】
また、本例では、定着ローラ３１２は、例えば径がφ４０ｍｍで、アルミあるいは鉄等の芯金の外側に断熱層を有する。断熱層は耐熱性が必要であり、シリコーンゴム(スポンジを含む)や多孔質セラミックスなどが使用される。断熱層に使用される材料の熱伝導率は低ければ低い方が効果的で、概ね０．２Ｗ／ｍ／Ｋ以下が望ましい。
【００４９】
加圧ローラ３１３は、芯金３１３ａの外周にフッ素系樹脂、シリコーンゴム等の耐熱性弾性層と、フッ素樹脂等からなる表面離型層３１３ｂを形成したものである。また、転写紙Ｐの定着ベルト３１１からの剥離性を良くするため、加圧ローラ３１３の表面硬度を定着ローラ３１２よりも硬くし、定着ベルト３１１と加圧ローラ３１３の間に下向きの定着ニップ部Ｎを形成している。加圧ローラ３１３の弾性層の厚さは、１から数ｍｍ程度としている
このような構成の定着装置３００において、定着ベルト３１１が加熱されて、転写紙Ｐ上のトナーＴを加熱溶融させて転写紙Ｐ上に定着させる。定着ベルト３１１をより早く温めるには温めた部分の熱が逃げる前に一気にトナーＴが定着可能な温度までニップ部Ｎの温度を上げることが必要である。これは、昇温が遅いとその間に熱がその分逃げてしまうからである。この際、定着ベルト３１１を全体的に加熱するよりも局部的に同程度の熱量で加熱した方が立ち上りが早くなる。なお、定着ローラ３１２、加圧ローラ、対向ローラ３１４の表層を断熱材で形成する方法もベルトの昇温を早くする効果がある。
【００５０】
ところで、局部加熱手段として、対向ローラ（加熱ローラ）３１４の中にハロゲンランプを入れる場合、加熱ローラ３１４全体を温めこととなるため、あまり効果的ではない。
図５は（イ）停止時に電極３１７より発熱層３１１ｂに給電し予め温めた定着ベルトを回転させつつ誘導加熱で加熱した場合のニップ部温度と（ロ）冷えた定着ベルトを回転させつつ誘導加熱で加熱した場合のニップ部温度のグラフである。
【００５１】
これにより、停止時に電極３１７より発熱層３１１ａに給電し定着ベルト全体を予め温めた場合、停止時に冷めてしまった定着ベルト３１１を使用時にいきなり加熱するよりも速くニップ部Ｎは定着温度となりコピー可能な状態になることがわかる。図５の（ハ）は、冷えた定着ベルトを回転させつつ図１０の従来の定着装置（加熱源はハロゲンヒータ）で加熱した場合のニップ部温度のグラフである。従来のハロゲンランプによる加熱ではベルトを回転させないで定着ベルト全体を加熱することはできないため、コピーをとらない待機時に定着ベルトを高温に保っておくことはできない。また（ロ）と比較しても、発熱効率の良い誘導加熱に比べて同じ温度からニップ部が定着可能温度まで昇温させるには時間がかかってしまうことがわかる。
【００５２】
本例の定着装置は誘導加熱で行う場合でも抵抗加熱で行う場合でも発熱体が共通であるため、余分な熱容量を増やすことがない。
【実施例２】
【００５３】
図６は本発明に係る定着装置の第２の実施例に係る定着装置を示す説明図である。
【００５４】
本例において、定着装置４００は、前述した第１実施例と同様に、定着ベルト４１１、定着ローラ４１２、加圧ローラ４１３、加熱ローラ４１４、制御手段４３０、全体加熱手段４２０、及び局部加熱手段４２１を備える。
【００５５】
本発明において、上述した実施例１と異なる点は、２台の温度センサ４１８、４１９を配置している点、対向ロ−ラ４１４の芯金４１４ａの表面に断熱と絶縁の両方を持つ例えばセラミック、発泡ポリイミドからなる被覆材料４１４ｂを設けている点、及び制御手段４３０の制御を所定のものとしたことである。また、本例では、図８に示すように定着ベルト４１１を４層とし、基材４１１ａ、第１発熱層４１１ｂ、第２発熱層４１１ｃ、弾性層４１１ｄ、離型層４１１ｅからなるものとしている。
【００５６】
本例では、２台の温度センサ４１８，４１９のうち第１の温度センサ４１８は前記定着ベルト４１１を介して対向ロ−ラ４１４に接して配置し、第２の温度センサ４１９は定着ベルト４１１のうち対向ローラの支えが無い個所に配置している。
【００５７】
次に本例の制御手段４３０を図７に基づいて説明する。本例では、制御手段４３０は、２つの温度センサ４１８，４１９からの温度情報を基に、定着ベルト４１１が予め決められた温度に制御するように全体加熱手段４２０及び局部加熱手段４２１に信号を送っている。本例では、制御手段４３０は中央処理装置（ＣＰＵ）４３１、駆動制御回路４３２、及び制御温度回路４３３とからなる。本例では、ＣＰＵ４３１から駆動制御回路４３２に回転停止の信号が入ると駆動制御回路４３２は回転を止める。また、これと同時に局部加熱手段４２１へも加熱を停止する信号が入り加熱がストップと共に、全体加熱手段４２０へは加熱を実行する信号を送る。このときＣＰＵ４３１は温度センサ４１８，４１９からの温度情報を受け取っていて予め決められた温度以下の場合に全体加熱手段４２０へ加熱信号を送る。
【００５８】
これにより、全体加熱手段４２０での制御温度を局部加熱手段４２１での温度設定より予め低く設定しておくことができる。
【００５９】
また、本例では２つの温度センサ４１８，４１９を設け温度センサ４１９を定着ベルト４１１のうちローラの支えが無い場所に設置している。本実施例では、定着ニップ部Ｎの直前の定着ベルト４１１の外側面に設置するものとしている。なお、この第２の温度センサ４１９の設置場所は定着ベルト４１１内側でもその他の場所でもよい。これにより、装置の停止時はこの温度センサ４１９の検知温度に基づいて、制御手段４３０は、全体加熱手段４２０による定着ベルト４１１の温度を制御する。
また、本例の定着装置によれば、制御手段全体加熱装置を装置停止時において局部加熱装置で加熱した定着ベルトが所定の設定温度よりも低くなったときに駆動する。ほんれいによれば、回転停止時において、定着ベルト全体の加熱を始めるタイミングを局部加熱手段４２１での設定温度よりも低くなった時から加熱するようにでき、定着ベルト４１１の温度が高くなってしまい定着ベルト４１１の劣化を防止することができる。
【００６０】
また本例の定着装置によれば、温度を検知する温度センサの1つを定着ベルトの支えが無い場所に設け且つこの場所の温度センサは停止時のみ温度を制御するようにしたのでリップル部が大きくなって温度が高くなりベルトを劣化させると言った問題を防げる
【図面の簡単な説明】
【００６１】
【図１】本発明の実施例に係る画像形成装置の概略構成を示す図である。
【図２】実施例１に係る定着装置の構成を示す図である。
【図３】図２に示した定着装置の定着ベルトの構成を示す断面図である。
【図４】図２に示した定着装置の定着ベルトの金属膜のパターンを示す図であり、（ａ）は第１の例、（ｂ）は第２の例を示す斜視図である。
【図５】図２に示した定着装置のニップ部の温度変化を示すグラフである。
【図６】実施例２に係る定着装置の構成を示す図である。
【図７】図７に示した定着装置の制御システムを示すブロック図である。
【図８】図２に示した定着装置の加熱ローラの構成を示す断面図である。
【図９】実施例に係る定着装置が適用される画像形成装置を示す図である。
【図１０】従来の定着装置を示す図である。
【符号の説明】
【００６２】
９・・・現像装置
１０・・・中間転写体
１４・・・第１の支持ローラ
１５・・・第２の支持ローラ
１６・・・第３の支持ローラ
１７・・・中間転写体クリーニング装置
１８・・・画像形成手段
２０・・・タンデム作像装置
２１・・・露光装置
２２・・・２次転写装置
２３・・・ローラ
２４・・・２次転写ベルト
２５・・・定着装置
２６・・・定着ベルト
２７・・・加圧ローラ
２８・・・シート反転装置
３０・・・原稿台
３２・・・コンタクトガラス
３３・・・第１走行体
３４・・・第２走行体
３５・・・結像レンズ
３６・・・センサ
４０・・・感光体
１００・・・複写装置本体
１１０・・・給紙テーブル
１２０・・・スキャナ
１３０・・・原稿自動搬送装置
２００・・・作像装置
２０３Ｙ，２０３Ｍ，２０３Ｃ，２０３ＢＫ・・・像担持体
２０４・・・転写ベルト
２０５・・・駆動ローラ
２０６・・・従動ローラ
２０７・・・帯電ローラ
２０８・・・ユニット
２１０・・・転写ローラ
２３０・・・クリーニング装置
３００・・・定着装置
３１１・・・定着ベルト
３１１ａ・・・基材
３１１ｂ・・・発熱層
３１１ｃ・・・弾性層
３１１ｄ・・・離型層
３１２・・・定着ローラ
３１３・・・加圧ローラ
３１３ａ・・・芯金
３１３ｂ・・・表面離型層
３１４・・・加熱ローラ
３１５・・・誘導コイル
３１６・・・励磁コア
３１７・・・電極
３１８・・・温度センサ
３２０・・・全体加熱手段
３２１・・・局部加熱手段
４００・・・定着装置
４１１・・・定着ベルト
４１１ａ・・・基材
４１１ｂ・・・第１発熱層
４１１ｃ・・・第２発熱層
４１１ｄ・・・弾性層
４１１ｅ・・・離型層
４１２・・・定着ローラ
４１３・・・加圧ローラ
４１４・・・加熱ローラ
４１４ａ・・・芯金
４１４ｂ・・・被覆材料
４１８、４１９・・・温度センサ
４２０・・・全体加熱手段
４２１・・・局部加熱手段
４３０・・・制御手段
４３１・・・中央処理装置（ＣＰＵ）
４３２・・・駆動制御回路
４３３・・・制御温度回路
５００・・・定着装置
５１１・・・定着ベルト
５１２・・・定着ローラ
５１３・・・加圧ローラ
５１４・・・加熱ローラ
５１５・・・ヒータ
Ｌ・・・レーザビーム
Ｎ・・・ニップ部
Ｐ・・・記録媒体
Ｐ・・・転写紙
Ｔ・・・トナー
【図１】
2006017935.tif 000003
【図３】
2006017935.tif 000004
【図２】
2006017935.tif 000005
【図４】
2006017935.tif 000006
【図５】
2006017935.tif 000007
【図６】
2006017935.tif 000008
【図７】
2006017935.tif 000009
【図８】
2006017935.tif 000010
【図９】
2006017935.tif 000011
【図１０】
2006017935.tif 000012